(57)【要約】      （修正有）【課題】体型変化に拘わらず着用でき、デザイン性に富み、前立て部が拡開しても、マタニティパンツのずり下がりを防止できるマタニティパンツの提供。【解決手段】前立て部４が分かれて拡開するマタニティパンツの上部側の一端側に形成された第１係合部７と、該第１係合部７と係合する他端側に形成された第２係合部８と、を有し、拡開する前記前立て部４の端部間に取着されたフロントマチ部９と、前記前立て部４が分れて拡開するときに使用するフロントバンド１０と、を備えたマタニティパンツである。前記フロントバンド１０は、一端側が前記第２係合部８と係合する第３係合部１１と、他端側が前記第１係合部と係合する第４係合部１２を備え、前記フロントマチ部９が前記前立て部４間を覆うと共に、前記フロントバンド１０が拡開された前記マタニティパンツのフロントマチ部９の上方位置に取着可能にされてなる。【選択図】図１０
0003197437.tif 000002
【実用新案登録請求の範囲】
【請求項１】
前立て部が分かれて拡開するマタニティパンツの上部側の一端側に形成された第１係合部と、該第１係合部と係合する他端側に形成された第２係合部と、を有し、拡開する前記前立て部の端部間に取着されたフロントマチ部と、前記前立て部が分れて拡開するときに使用するフロントバンドと、を備えたマタニティパンツであって、
前記フロントバンドは、一端側が前記第２係合部と係合する第３係合部と、他端側が前記第１係合部と係合する第４係合部を備え、
前記フロントマチ部が前記前立て部間を覆うと共に、前記フロントバンドが拡開された前記マタニティパンツのフロントマチ部の上方位置に取着可能にされてなることを特徴とするマタニティパンツ。
【請求項２】
前記フロントマチ部は、前記フロントバンドの配設位置より下側で、分かれて拡開して広がった前記マタニティパンツの前立て部を内側から覆うように、前記前立て部の内側端部で縫合されていることを特徴とする請求項１に記載のマタニティパンツ。
【請求項３】
前記フロントバンドは伸縮性のある材料で構成され、前記マタニティパンツの前記第１係合部と前記第２係合部に係合する第３係合部と第４係合部により、取着可能であることを特徴とする請求項１に記載のマタニティパンツ。
【請求項４】
前記フロントマチ部は、マタニティパンツとデザイン的に一体感のある材質や配色・色彩・模様・柄などを用いた素材で形成されていることを特徴とする請求項１又は２に記載のマタニティパンツ。
【考案の詳細な説明】
【技術分野】
【０００１】
本考案はマタニティパンツに係り、特に妊婦の体形変化に拘わらずジーンズパンツ、スラックス等を着衣できるマタニティパンツに関する。なお本明細書においてマタニティパンツとはジーンズパンツ、スラックス、スカート等として前開きできる着衣をいうものとする。
【背景技術】
【０００２】
従来、妊婦は、妊娠中期から臨月までの間、膨出した下腹部が不用意に圧迫されないようにマタニティドレスを着用する。一方、当該時期に至ると妊娠前に、はき慣れていたり、お気に入りであったジーンズパンツやスラックス等のパンツ類のウエスト部分が締まらなくなることから、それらお気に入りのパンツ類は着用することができなかった。
しかし妊娠中期以降も、マタニティドレスといった画一的な服装ではなく、妊娠前に、はき慣れていたり、お気に入りであったパンツ類を着用して、様々なファッションを楽しみたいという要望がある。
そこで、マタニティドレスではない上記のパンツ類を妊娠時にも着用できるようにするため、当該パンツ類のウエストサイズを拡張可能にしたベルトに関して各種提案がされている（特許文献１、特許文献２）。
【０００３】
例えば、特許文献１では、両端に係止具を形成した平ゴムからなるベルトと、上端部にベルト通し穴を形成した略矩形状の当布とからなる。そして、前記ベルト通しに、前記ベルトを挿通すると共に、前記ベルトの係止具をパンツ類の被係止具に係止して、上記文献と同様にパンツ類のウエストサイズを拡張し、拡開した該パンツ類と下着との間に当布を配するように構成されている。
この特許文献１は、上記の伸縮ベルトと、当布に伸縮ベルトを通して、伸縮ベルトの係止具をパンツ類の被係止具に係止しているが、伸縮ベルトを当布に通す作業は面倒であり、伸縮ベルトの係止具をパンツ類の被係止具に係止しないと、下着等が露見してしまうだけでなく、パンツ類がずり落ちてしまうという不都合があった。
【０００４】
特許文献２では、パンツ類の前立て部の一側上端部に設けたパンツ側係止具と前記前立て部の他側上端部に設けられ前記パンツ側係止具を着脱可能に係止するパンツ側被係止部との間に取り付けて前立て部の拡開によりパンツ類のウエストサイズを拡張する伸縮ベルトと、拡開した前立て部から露出する露出部を覆い隠すため着用する上下両端を開口にした袋状のカバーとからなるパンツ類のウエストサイズ調節補助具であって、前記伸縮ベルトが、一端に前記パンツ側被係止部に着脱可能に係止されるベルト側係止具を設けた第１ベルトと、一端に前記パンツ側係止具に着脱可能に係止されるベルト側被係止部を設けた第２ベルトと、外周枠と外周枠内に設けた互いに平行な第１軸と第２軸を有するバックルから成り、前記第１ベルトの他端を外周枠の裏側から第１軸と第２軸の間に挿通し、第１軸で折り返し外周枠の下に潜らせて外周枠の外側で第１ベルトの中間部に重ね合わせ、前記第２ベルトの他端を、外周枠の裏側から第１軸と第２軸の間に挿通し、第２軸で折り返し外周枠の下に潜らせて外周枠の外側で第２ベルトの中間部に重ね合わせることにより伸縮ベルトの全長を伸縮自在に構成したものである。
【０００５】
特許文献２によれば、容易にパンツ類のウエストサイズを調整することができ、前立てが拡開したとき、確実に下着を隠すことができ、さらには、簡易な構成によりコストを抑えることができるものであるが、拡開した前立て部から露出する露出部を覆い隠すため着用する上下両端を開口にした袋状のカバーが必要であるだけでなく、伸縮ベルトの係止具をパンツ類の被係止具に係止しないと、下着等が露見してしまうだけでなく、パンツ類がずり落ちてしまうという不都合や、非妊娠時や妊娠初期、出産後に着用するにはデザイン性などおいても不都合であった。
【先行技術文献】
【特許文献】
【０００６】
【特許文献１】実用新案登録第３１２４１７６号公報
【特許文献２】実用新案登録第３１４６０３１号公報
【考案の概要】
【考案が解決しようとする課題】
【０００７】
本考案は、体型変化に拘わらず着用でき、デザイン性に富み、前立て部が拡開しても、マタニティパンツのずり下がりを防止でき、おなかのサイズに対応できるマタニティパンツを提供することを目的とする。特に非妊娠時や妊娠初期、出産後に着用するのに適したデザイン性を確保できるマタニティパンツを提供することができる。
【課題を解決するための手段】
【０００８】
前記課題は、本考案のマタニティパンツによれば、前立て部が分かれて拡開するマタニティパンツの上部側の一端側に形成された第１係合部と、該第１係合部と係合する他端側に形成された第２係合部と、を有し、拡開する前記前立て部の端部間に取着されたフロントマチ部と、前記前立て部が分れて拡開するときに使用するフロントバンドと、を備えたマタニティパンツであって、前記フロントバンドは、一端側が前記第２係合部と係合する第３係合部と、他端側が前記第１係合部と係合する第４係合部を備え、前記フロントマチ部が前記前立て部間を覆うと共に、前記フロントバンドが拡開された前記マタニティパンツのフロントマチ部の上方位置に取着可能にされてなること、により解決される。
【０００９】
このように、前記フロントマチ部が前記前立て部間を覆うので、前立て部間の下着や肌の露出をフロントマチ部で被覆でき、さらにフロントバンドが拡開されたマタニティパンツのフロントマチ部の上方位置に取着可能にされているので、腹部が大きくなったときは、マタニティパンツの第１係合部と第２係合部に、フロントバンドを取着することで、腹部が膨出しても、マタニティパンツをそのまま被着することが可能となる。
【００１０】
このとき、前記フロントマチ部は、前記フロントバンドの配設位置より下側で、分かれて拡開して広がった前記マタニティパンツの前立て部を内側から覆うように、前記前立て部の内側端部で縫合されていると好適である。このように、フロントマチ部はフロントバンドの下側に形成されているので、フロントバンドに影響されず、また前立て部の内側端部で縫合されているので、縫い目が露見しないで、見栄えがよい。
さらに前記フロントマチ部は、マタニティパンツとデザイン的に一体感のある材質や配色・色彩・模様・柄などを用いた素材で形成されていると好適である。このように構成すると、フロントマチ部が露見した状態であっても、デザイン的にマタニティパンツと一体感をもってファッショナブルなものを提供することができる。
【００１１】
さらに、フロントバンドは伸縮性のある材料で構成され、前記マタニティパンツの前記第１係合部と前記第２係合部に係合する第３係合部と第４係合部により、取着可能であると好適である。このように、フロントバンドが取り外し可能であるので、腹部に合わせて、フロントバンドを取着し、或いは伸縮性によって腹部の膨出に合わせて伸びるように構成できる。
【考案の効果】
【００１２】
本考案によれば、体型変化に拘わらず着用でき、前立て部が拡開しても前立て部間の下着や肌の露出をフロントマチ部で被覆でき、デザイン性に富んだものとなり、またマタニティパンツのずり下がりを防止でき、おなかのサイズに対応できるマタニティパンツを提供することができる。特に非妊娠時や妊娠初期、出産後に着用するのに適したデザイン性を確保できるマタニティパンツを提供できる。
【図面の簡単な説明】
【００１３】
【図１】マタニティパンツの一例を示す正面図である。
【図２】図１の拡大図である。
【図３】図１の前立て部を拡開した状態の説明図である。
【図４】図３の裏側からの説明図である。
【図５】図３の大きく拡開した状態の説明図である。
【図６】フロントマチ部と前立て部との接合状態の説明図である。
【図７】フロントバンドを示すもので、（Ａ）は正面図、（Ｂ）は裏面図である。
【図８】前立て部にフロントバンドを取り付けた状態の説明図である。
【図９】妊婦が着衣した状態の正面から見た部分拡大図である。
【図１０】図９の斜め前方から見た斜視図である。
【考案を実施するための形態】
【００１４】
図は本考案の一実施形態を示すものであり、図１はマタニティパンツの一例を示す正面図、図２は図１の拡大図、図３は図１の前立て部を拡開した状態の説明図、図４は図３の裏側からの説明図、図５は図３の大きく拡開した状態の説明図、図６はフロントマチ部と前立て部との接合状態の説明図、図７はフロントバンドを示すもので、（Ａ）は正面図、（Ｂ）は裏面図、図８は前立て部にフロントバンドを取り付けた状態の説明図、図９は妊婦が着衣した状態の正面から見た部分拡大図、図１０は図９の斜め前方から見た斜視図である。
【００１５】
本例のマタニティパンツＳは、ジーンズパンツやスラックス等のパンツ類であり、図２及び図３で示すように、前身頃１と、後見頃２と、ウエスト部３と、前立て部４とを有するもので、前立て部４は、前立て部４の両端側４ａ，４ｂに形成されたファスナー５（５ａ，５ｂ）によって拡開するタイプのものである。
【００１６】
そしてウエスト部３にはウエストバンド（図示せず）が取り付けられる領域であり、ウエストバンドが落ちないように、ベルトループ６が形成されている、そしてウエスト部３は、前立て部４の端部４ａ，４ｂで開く（拡開する）ように分割して形成されており、分割したウエスト部３の上部側の一端側には、第１係合部７が形成され、この第１係合部７と係合する他端側には第２係合部８が形成されている。
【００１７】
前立て部４の端部４ａ，４ｂ側には、ファスナー５（５ａ，５ｂ）が取着されており、ファスナーをスライドさせることで、前立て部４が分れて、広げることで前立て部４は拡開するように構成している。なお本例ではファスナー５を用いているが、ボタン等によって前立て部４が分れる（離間する）ように構成してもよい。
【００１８】
本例の第１係合部７にはボタンが取着され、第２係合部８には第１係合部７であるボタンを掛けとめる第２係合部８としてのボタンホールが形成されている。そして、図１及び図２で示すように、ボタンホールにボタンを掛けとめて、ウエスト部で拡開された前立て部４が閉じられる。この状態は腹部が膨出していない、非妊娠時や妊娠初期、出産後に着用できるようになっている。
【００１９】
また、拡開する前立て部４の端部４ａ，４ｂの間には、フロントマチ部９が取着されている。このフロントマチ部９は、図４で示すように、概略逆三角形状（概略扇形）をしており、図４の左右端部は、図６で示すように、かがり縫いによって、前身頃１の裏面に縫着されている。つまり、マタニティパンツＳの前立て部４を内側から覆うように、前立て部４の内側端部（図３参照）でかがり縫いで縫合されている。そして、前立て部４の端部４ａ，４ｂの間で、拡開されたときに、図５のように扇形に広がり、内側を覆っている。
なお図６で示すように、後述する図９及び図１０のように、膨出した腹部に拡開して追従するときに、外観と強度を保つために、フロントマチ部９の上側を内側（裏側）に折り曲げ、まつり縫いをしている。
また、フロントマチ部９は、本例では、無地のものを用いているが、マタニティパンツＳと一体感のある材質や色彩・柄・模様などを用いることができ、このようにすると、後述する図９及び図１０で示すように、フロントマチ部９が露見した状態であっても、さほど違和感なく被着することが可能となる。ここで、一体感とは必ずしもマタニティパンツＳと同様の配色・色彩・柄・模様などを意味するものではなく、デザイン性を考慮して決定されるものである。
【００２０】
このフロントマチ部９は、前立て部４の間で、拡開した部分を覆い、さらに、フロントバンド１０が拡開されたマタニティパンツＳのフロントマチ部９の上方位置に取着可能にされている。つまり、フロントマチ部９は、後述するフロントバンド１０の配設位置より下側で、分かれて拡開して広がったマタニティパンツＳの前立て部４を内側から覆うように、前立て部４の内側端部で縫合されている。このため、フロントマチ部９の色・柄・材質を周囲と同様なものとすることにより、露見した状態であっても、一体感のあるものとなる。
【００２１】
フロントバンド１０は、前立て部４が分れて拡開するときに使用するもので、図７の（Ａ）及び（Ｂ）で示すように、本実施形態では矩形をしており、端部側の第３係合部１１と、反対側の端部側の第４係合部１２と、これらの第３係合部１１と第４係合部１２との間の連結部１３とから構成されている。そして、一端側が第２係合部８と係合する第３係合部１１となっており、他端側が第１係合部７と係合する第４係合部１２となっている。
【００２２】
つまり、図３、図７及び図８で示すように、第１係合部７であるボタンと係合するボタンホールからなる第３係合部１１と、第２係合部８であるボタンホールと係合するボタンからなる第４係合部１２とが両端にそれぞれ形成されており、その間の連結部１３が伸縮可能な部材、例えばゴム材で構成されているものである。なお連結部１３の長さや幅等は、妊婦の状態（体型や腹部の膨出状態）に応じて任意に設定できるものである。
【００２３】
このように、フロントバンド１０は伸縮性のある材料で構成され、マタニティパンツＳの第１係合部７と前記第２係合部８に係合する第３係合部１１と第４係合部１２と係合して止着できるように構成されている。
なお第３係合部１１と第４係合部１２となる基部（ベース部分）は、ある程度の硬さを有するものであれば、特に材質などは限定されないものである。
【００２４】
また、フロントバンド１０は、図７で示すものは、長方形状になっているが、これに限らず、楕円形状、串刺し団子形状、蝶々形状など、デザイン性に富んだ形状で形成するようにしても良い。例えば、連結部が大きく形成されると、膨出した腹部を広い範囲で支えることができ、腹部への負担を小さくできる。さらに、第１係合部〜第４係合部はボタンとボタンホールの例で示したが、これに限らず各係合部が係合して取着できるように構成できれば良く、これらは鉤フック等で構成してもよい。
【００２５】
上記構成からなるマタニティパンツは、図８乃至図１０で示されるように、以下のように使用されるものである。
通常の非妊娠時や妊娠初期、出産後に着用する場合には、図１で示すように、通常のパンツと同様に被着することができるが、着脱するときには、図３及び図５で示すように、第１係合部７及び第２係合部８の係合を解き、前立て部４を拡開して行う。この点は、フロントマチ部９が存在するが、扇形に広がり、容易に着脱できる。
【００２６】
次に、妊婦で、腹部が膨出している状態においては、フロントバンド１０をマタニティパンツＳのウエスト部３の掛け止を解除するため、ウエストバンドに形成された第１係合部７であるボタンと前記第２係合部８であるボタンホールの係合を解き、ファスナー５をスライドさせて前立て部４を拡開させる。
そしてフロントバンド１０とウエスト部３の掛け止を外した後、図８で示すように、第１係合部７であるボタンとフロントバンド１０のボタンホールからなる第３係合部１１と係合させ、ウエスト部３の第２係合部８であるボタンホールとフロントバンド１０のボタンからなる第４係合部１２とを係合させる。
このようにして、ウエスト部とフロントバンド１０を取着して、図９及び図１０で示すような状態で、被着することができる。
【００２７】
これにより、前立て部が拡開しても前立て部間の下着や肌の露出をフロントマチ部で被覆でき、おなかのサイズに対応できるマタニティパンツを提供することができる。
このように、妊娠前に穿き慣れていたパンツ類のウエスト部分が閉まらなくなる妊娠中期以降も、本考案に係るマタニティパンツによれば、そのまま被着し続けることができる。そのため、新たにマタニティドレスを購入しなくても良く、妊娠から出産にかかるコストを抑えることができる。
【符号の説明】
【００２８】
１  前身頃
２  後見頃
３  ウエスト部
４  前立て部
５  ファスナー
６  ベルトループ
７  第１係合部
８  第２係合部
９  フロントマチ部
１０  フロントバンド
１１  第３係合部
１２  第４係合部
１３  連結部
Ｓ  マタニティパンツ
【図１】
0003197437.tif 000003
【図２】
0003197437.tif 000004
【図３】
0003197437.tif 000005
【図４】
0003197437.tif 000006
【図５】
0003197437.tif 000007
【図６】
0003197437.tif 000008
【図７】
0003197437.tif 000009
【図８】
0003197437.tif 000010
【図９】
0003197437.tif 000011
【図１０】
0003197437.tif 000012